(57)【要約】【課題】印刷済用紙に印刷された画像を排紙後に衆目にさらされないようにする。【解決手段】印刷ジョブによって原稿画像Ｉが印刷される記録紙Ｐのうち、排紙部に排紙されて積層された際に原稿画像Ｉが外部に露出するような、フェイスアップ排紙された一番上の記録紙Ｐの上に、又は、フェイスダウン排紙された一番下の記録紙Ｐの下に、透過防止用画像Ｍ１，Ｍ２，Ｍ３を印刷したダミー用紙Ｄ１，Ｄ２，Ｄ３が排紙される。そして、一番上の記録紙Ｐや一番下の記録紙Ｐの原稿画像Ｉが、ダミー用紙Ｄ１の透過防止用画像Ｍ１によってマスクされ、又は、ダミー用紙Ｄ２，Ｄ３の透過防止用画像Ｍ２，Ｍ３と重って、均一トーン化され、あるいは、ブラックアウト化される。これにより、ダミー用紙Ｄ１，Ｄ２，Ｄ３越しに透かして原稿画像Ｉを見てその内容を認識することができなくなる。【選択図】図８
2009269345.tif 000002
【特許請求の範囲】
【請求項１】
印刷ジョブの実行により画像の用紙への印刷後に排紙部に排紙された印刷済用紙と、該印刷済用紙とは別に前記排出部に排紙させたダミー用紙とを積層させて、前記印刷済用紙の表面であって外部に露出する前記画像を前記ダミー用紙で隠蔽する印刷済用紙の画像隠蔽方法であって、
前記ダミー用紙に、
前記印刷ジョブから判別される前記画像を前記用紙に印刷する際の該用紙上における印刷領域を、前記ダミー用紙が前記印刷済用紙と積層された状態で全て覆う第１の透過防止用画像、及び、
前記ダミー用紙が前記印刷済用紙と積層された状態で該印刷済用紙の前記画像に重ねられ、該画像と協働して前記画像の識別が不能な合成画像を構成する第２の透過防止用画像、
のうち少なくとも一方の前記透過防止用画像を印刷するようにした、
ことを特徴とする印刷済用紙の画像隠蔽方法。
【請求項２】
前記第２の透過防止用画像は、
前記印刷ジョブから判別される前記画像を前記用紙に印刷する際の該用紙上における印刷濃度又は印刷密度の分布、とは逆の印刷濃度又は印刷密度の分布を有する逆分布画像と、
前記印刷ジョブから判別される前記画像を前記用紙に印刷する際の該用紙上における色分布、に対する補色関係の色分布を有する補色分布画像と、
を含んでいる、
ことを特徴とする請求項１記載の印刷済用紙の画像隠蔽方法。
【請求項３】
前記補色分布画像を前記ダミー用紙に印刷する場合、該補色分布画像が、前記画像の印刷に用いる複数のインク色のうち２つ以上のインク色の単色印刷によって前記ダミー用紙に印刷可能なものであるときに、残量が最も多いインク色の単色印刷によって前記補色分布画像を前記ダミー用紙に印刷するようにしたことを特徴とする請求項２記載の印刷済用紙の画像隠蔽方法。
【請求項４】
前記印刷ジョブを加工し、該加工後の印刷ジョブの実行により、前記画像の前記用紙に対する印刷と共に、前記ダミー用紙に対する前記透過防止用画像の印刷と、該透過防止用画像の印刷後の前記ダミー用紙の前記排紙部への排紙とを行うようにしたことを特徴とする請求項１、２又は３記載の印刷済用紙の画像隠蔽方法。
【請求項５】
前記印刷済用紙と前記ダミー用紙とを内部排紙部に一旦排紙して積層させ、該積層させた印刷済用紙と前記ダミー用紙とを前記排紙部に一括排紙するようにしたことを特徴とする請求項１、２、３又は４記載の印刷済用紙の画像隠蔽方法。
【請求項６】
印刷ジョブの実行により画像印刷部における画像の印刷後に排紙部に排紙された印刷済用紙と、該印刷済用紙とは別に前記排紙部に排紙させたダミー用紙とを積層させて、前記印刷済用紙の表面であって外部に露出する前記画像を前記ダミー用紙で隠蔽する画像形成装置において、
前記印刷ジョブから判別される前記画像に基づいて、前記ダミー用紙に印刷する透過防止用画像を決定する決定手段と、
前記決定手段によって決定された前記透過防止用画像の前記画像印刷部における印刷後に、前記印刷済用紙の外部に露出する画像が前記透過防止用画像によって隠蔽される位置関係となる順番で、前記排紙部に前記ダミー用紙が排紙されるように、前記ダミー用紙に対する前記透過防止用画像の印刷を前記画像印刷部に行わせるダミー用紙印刷実行手段とを備えており、
前記決定手段は、
前記印刷ジョブから判別される前記画像を前記用紙に印刷する際の該用紙上における印刷領域を、前記ダミー用紙が前記印刷済用紙と積層された状態で全て覆う、前記透過防止用画像を設定する第１の設定手段と、
前記ダミー用紙が前記印刷済用紙と積層された状態で該印刷済用紙の前記画像に重ねられ、該画像と協働して前記画像の識別が不能な合成画像を構成する、前記透過防止用画像を設定する第２の設定手段と、
のうち少なくとも一方を含んでおり、
前記ダミー用紙印刷実行手段は、前記第１及び第２の設定手段のうち少なくとも一方によって設定された前記透過防止用画像の前記ダミー用紙に対する印刷を前記画像印刷部に行わせる、
ことを特徴とする画像形成装置。
【請求項７】
前記第２の設定手段は、
前記印刷ジョブから判別される前記画像を前記用紙に印刷する際の該用紙上における印刷濃度又は印刷密度の分布、とは逆の印刷濃度又は印刷密度の分布を有する逆分布画像を、前記透過防止用画像として設定する逆分布画像設定手段と、
前記印刷ジョブから判別される前記画像を前記用紙に印刷する際の該用紙上における色分布、に対する補色関係の色分布を有する色分布の補色分布画像を、前記透過防止用画像として設定する補色分布画像設定手段と、
を含んでいる、
ことを特徴とする請求項６記載の画像形成装置。
【請求項８】
前記補色分布画像設定手段は、前記補色分布画像が、前記画像の印刷に用いる複数のインク色のうち２つ以上のインク色の単色印刷によって前記ダミー用紙に印刷可能なものであるときに、前記補色分布画像を、残量が最も多いインク色の単色印刷によるものに設定することを特徴とする請求項７記載の画像形成装置。
【請求項９】
前記ダミー用紙印刷実行手段は、前記印刷ジョブを加工し、該加工後の印刷ジョブに基づいて、前記ダミー用紙に対する前記透過防止用画像の印刷を前記画像印刷部に行わせることを特徴とする請求項６、７又は８記載の画像形成装置。
【請求項１０】
前記画像形成装置の内部に配置され、前記ダミー用紙印刷実行手段により前記透過防止用画像が印刷された前記ダミー用紙と前記印刷済用紙とが排紙、積層される内部排紙部と、該内部排紙部において積層された前記印刷済用紙及び前記ダミー用紙を一括して前記排紙部に排紙する排紙手段とをさらに備えており、前記排紙部は、前記画像形成装置の外部に配置されていることを特徴とする請求項６、７、８又は９記載の画像形成装置。
【発明の詳細な説明】
【技術分野】
【０００１】
本発明は、印刷ジョブの実行により画像の印刷後に排紙部に排紙された印刷済用紙の表面であって外部に露出する画像を、排紙部に排紙されて印刷済用紙に積層されたダミー用紙によって隠蔽する印刷済用紙の画像隠蔽方法と、この方法を用いて好適な画像形成装置とに関する。
【背景技術】
【０００２】
画像形成装置の排紙部には、印刷ジョブによって画像が印刷された印刷済用紙が排紙される。この印刷済用紙をしばらく排紙部に放置していると、印刷された画像が衆目にさらされることになる。そこで、画像が印刷された面を下向きにして印刷済用紙を排紙部に排紙するフェイスダウン排紙によってこれを防ぐことも実施されているが、両面印刷された印刷済用紙の場合には期待した効果を上げることができない。
【０００３】
また、特にドロップオンデマンド型のインクジェット方式ではその性質上、画像印刷部の下を通過する用紙の上面に画像が印刷されるのが通常であることから、画像が印刷された面が上向きにで排紙されるフェイスアップ排紙となる場合が多い。そのため、この種の画像形成装置でフェイスダウン排紙を行うためには、印刷済用紙を上下逆向きにする手段を装置内部に設ける必要があり、構成及びコストの面で不利である。
【０００４】
そこで、両面印刷された印刷済用紙やフェイスアップ排紙の画像形成装置で印刷された印刷済用紙であっても、印刷された画像を衆目にさらされないようにするために、印刷済用紙を装置内部の排紙トレーに排紙する技術（例えば、特許文献１）や、印刷済用紙に白紙を重ねて一緒に排紙部に排紙する技術（例えば、特許文献２）が、従来から提案されている。
【特許文献１】特開平１１−４２８２７号公報
【特許文献２】特開２００５−１６９８５９号公報
【発明の開示】
【発明が解決しようとする課題】
【０００５】
印刷済用紙を装置内部の排出トレーに排紙することは、特に、認証コードの入力により印刷済用紙を排出トレーから取り出せるようにする技術と組み合わせた場合に、印刷済用紙上の画像の機密性保持に絶大な効果を発揮する。その代わり、排出トレーからの印刷済用紙の回収に面倒な手続きや操作を必要とする分だけ簡便性が損なわれる。そのため、印刷済用紙の回収の簡便性が優先する場合に採用するには、若干ニーズとマッチングしない技術であるとの評価を免れ得ない。
【０００６】
一方、印刷済用紙に白紙を重ねて排紙部に一緒に排紙することは、排紙部が装置の外部に存在する場合であっても、印刷された画像が衆目にさらされないようにする上で一定の効果を発揮する。しかし、印刷済用紙の画像が白紙越しに透けて見えてしまう恐れがあり、印刷済用紙の回収について簡便性があるとは言っても、印刷済用紙の画像を衆目にさらさないようにするための十分な対策であるとは言い難い。
【０００７】
本発明は前記事情に鑑みなされたものであり、本発明の目的は、印刷済用紙に印刷された画像を排紙後に衆目にさらされないようにする上で実効性の高い印刷済用紙の画像隠蔽方法と、この方法を用いて好適な画像形成装置とを提供することにある。
【課題を解決するための手段】
【０００８】
上記目的を達成するために、請求項１に記載した本発明の印刷済用紙の画像隠蔽方法は、印刷ジョブの実行により画像の用紙への印刷後に排紙部に排紙された印刷済用紙と、該印刷済用紙とは別に前記排紙部に排紙させたダミー用紙とを積層させて、前記印刷済用紙の表面であって外部に露出する前記画像を前記ダミー用紙で隠蔽する印刷済用紙の画像隠蔽方法であって、前記ダミー用紙に、前記印刷ジョブから判別される前記画像を前記用紙に印刷する際の該用紙上における印刷領域を、前記ダミー用紙が前記印刷済用紙と積層された状態で全て覆う第１の透過防止用画像、及び、前記ダミー用紙が前記印刷済用紙と積層された状態で該印刷済用紙の前記画像に重ねられ、該画像と協働して前記画像の識別が不能な合成画像を構成する第２の透過防止用画像、のうち少なくとも一方の前記透過防止用画像を印刷するようにしたことを特徴とする。
【０００９】
また、上記目的を達成するために、請求項６に記載した本発明の画像形成装置は、印刷ジョブの実行により画像印刷部における画像の印刷後に排紙部に排紙された印刷済用紙と、該印刷済用紙とは別に前記排紙部に排紙させたダミー用紙とを積層させて、前記印刷済用紙の表面であって外部に露出する前記画像を前記ダミー用紙で隠蔽する画像形成装置において、前記印刷ジョブから判別される前記画像に基づいて、前記ダミー用紙に印刷する透過防止用画像を決定する決定手段と、前記決定手段によって決定された前記透過防止用画像の前記画像印刷部における印刷後に、前記印刷済用紙の外部に露出する画像が前記透過防止用画像によって隠蔽される位置関係となる順番で、前記排紙部に前記ダミー用紙が排紙されるように、前記ダミー用紙に対する前記透過防止用画像の印刷を前記画像印刷部に行わせるダミー用紙印刷実行手段とを備えており、前記決定手段が、前記印刷ジョブから判別される前記画像を前記用紙に印刷する際の該用紙上における印刷領域を、前記ダミー用紙が前記印刷済用紙と積層された状態で全て覆う、前記透過防止用画像を設定する第１の設定手段と、前記ダミー用紙が前記印刷済用紙と積層された状態で該印刷済用紙の前記画像に重ねられ、該画像と協働して前記画像の識別が不能な合成画像を構成する、前記透過防止用画像を設定する第２の設定手段と、のうち少なくとも一方を含んでおり、前記ダミー用紙印刷実行手段が、前記第１及び第２の設定手段のうち少なくとも一方によって設定された前記透過防止用画像の前記ダミー用紙に対する印刷を前記画像印刷部に行わせることを特徴とする。
【００１０】
請求項１に記載した本発明の印刷済用紙の画像隠蔽方法と、請求項６に記載した本発明の画像形成装置とによれば、印刷済用紙とは別に排紙部に排紙されて印刷済用紙と積層されるダミー用紙に透過防止用画像が印刷される。そして、この透過防止用画像は、印刷済用紙上における画像の印刷領域と、印刷済用紙に印刷される画像の内容とのうち、少なくとも一方を基準にした内容のものとなる。
【００１１】
具体的には、ダミー用紙に印刷される透過防止用画像は、ダミー用紙を印刷済用紙と積層させた状態で印刷済用紙上における画像の印刷領域を全て覆う第１の透過防止用画像と、印刷済用紙の画像に重ねられ、その画像と協働してこの画像の識別が不能な合成画像を構成する第２の透過防止用画像とのうち、少なくとも一方となる。
【００１２】
したがって、排紙部の印刷済用紙にダミー用紙が積層されると、印刷済用紙の外部に露出する画像が、第１の透過防止用画像で全てマスクされること、あるいは、印刷済用紙の画像とこれに重ねられた第２の透過防止用画像とが構成する合成画像によって、印刷済用紙の画像が独立して識別できなくなること、のうち少なくとも一方によって、印刷済用紙の画像の内容がダミー用紙越しに透かして判読できない状態、つまり、印刷済用紙の画像を独立して認識できない状態となる。
【００１３】
このため、印刷済用紙が装置外部の排紙部に排紙されても、その印刷済用紙の表面に印刷された画像が露出して衆目にさらされてしまうのを防止することができる。
【００１４】
請求項２に記載した本発明の印刷済用紙の画像隠蔽方法は、請求項１に記載した本発明の画像隠蔽方法において、前記第２の透過防止用画像が、前記印刷ジョブから判別される前記画像を前記用紙に印刷する際の該用紙上における印刷濃度又は印刷密度の分布、とは逆の印刷濃度又は印刷密度の分布を有する逆分布画像と、前記印刷ジョブから判別される前記画像を前記用紙に印刷する際の該用紙上における色分布、に対する補色関係の色分布を有する補色分布画像と、を含んでいることを特徴とする。
【００１５】
また、請求項７に記載した本発明の画像形成装置は、請求項６に記載した本発明の画像形成装置において、前記第２の設定手段が、前記印刷ジョブから判別される前記画像を前記用紙に印刷する際の該用紙上における印刷濃度又は印刷密度の分布、とは逆の印刷濃度又は印刷密度の分布を有する逆分布画像を、前記透過防止用画像として設定する逆分布画像設定手段と、前記印刷ジョブから判別される前記画像を前記用紙に印刷する際の該用紙上における色分布、に対する補色関係の色分布を有する色分布の補色分布画像を、前記透過防止用画像として設定する補色分布画像設定手段と、を含んでいることを特徴とする。
【００１６】
請求項２に記載した本発明の印刷済用紙の画像隠蔽方法によれば、請求項１に記載した本発明の印刷済用紙の画像隠蔽方法において、また、請求項７に記載した本発明の画像形成装置によれば、請求項６に記載した本発明の画像形成装置において、いずれも、印刷済用紙の画像に重ねられて合成画像を構成する透過防止用画像が、印刷済用紙上における画像の印刷濃度又は印刷密度と、印刷済用紙上における色分布とのうち、少なくとも一方を基準にした内容のものとなる。
【００１７】
具体的には、印刷済用紙上における画像とは逆の印刷濃度又は印刷密度の分布を有する逆分布画像と、印刷済用紙上における画像の色分布に対する補色関係の色分布を有する補色分布画像とのうち、少なくとも一方となる。
【００１８】
したがって、印刷済用紙の画像と、これとは逆の印刷濃度又は印刷密度の分布を有する逆分布画像とによって、印刷濃度又は印刷密度が均一化された合成画像が構成されること、あるいは、印刷済用紙の画像と、その色分布に対して補色関係にある色分布の補色分布画像とによって、黒色視化される合成画像が構成されること、のうち少なくとも一方によって、印刷済用紙の画像の内容がダミー用紙越しに透かして判読できない状態、つまり、印刷済用紙の画像を独立して認識できない状態となる。
【００１９】
このため、印刷済用紙に積層して排紙部に排紙されて画像に重ねられるダミー用紙の透過防止用画像によって、装置外部の排紙部に排紙された印刷済用紙の画像を確実に、独立して認識できないようにすることができる。
【００２０】
請求項３に記載した本発明の印刷済用紙の画像隠蔽方法は、請求項２に記載した本発明の印刷済用紙の画像隠蔽方法において、前記補色分布画像を前記ダミー用紙に印刷する場合、該補色分布画像が、前記画像の印刷に用いる複数のインク色のうち２つ以上のインク色の単色印刷によって前記ダミー用紙に印刷可能なものであるときに、残量が最も多いインク色の単色印刷によって前記補色分布画像を前記ダミー用紙に印刷するようにしたことを特徴とする。
【００２１】
また、請求項８に記載した本発明の画像形成装置は、請求項７に記載した本発明の画像形成装置において、前記補色分布画像が、前記画像の印刷に用いる複数のインク色のうち２つ以上のインク色の単色印刷によって前記ダミー用紙に印刷可能なものであるときに、前記補色分布画像設定手段が、前記補色分布画像を、残量が最も多いインク色の単色印刷によるものに設定することを特徴とする。
【００２２】
請求項３に記載した本発明の印刷済用紙の画像隠蔽方法によれば、請求項２に記載した本発明の印刷済用紙の画像隠蔽方法において、また、請求項８に記載した本発明の画像形成装置によれば、請求項６に記載した本発明の画像形成装置において、いずれも、画像の印刷に用いる複数のインク色のうち２つ以上のインク色の単色印刷によって印刷可能な補色分布画像をダミー用紙に印刷する場合、その補色分布画像の印刷には、残量が最も多いインク色のみが用いられることになる。
【００２３】
そのため、ダミー用紙に対する補色分布画像の印刷によって残量の少ないインク色が積極的に消費されて、用紙に対する画像の印刷が特定色のみのインク切れにより実行できなくなってしまう事態の発生を、極力抑制することができる。
【００２４】
請求項４に記載した本発明の印刷済用紙の画像隠蔽方法は、請求項１、２又は３に記載した本発明の印刷済用紙の画像隠蔽方法において、前記印刷ジョブを加工し、該加工後の印刷ジョブの実行により、前記画像の前記用紙に対する印刷と共に、前記ダミー用紙に対する前記透過防止用画像の印刷と、該透過防止用画像の印刷後の前記ダミー用紙の前記排紙部への排紙とを行うようにしたことを特徴とする。
【００２５】
また、請求項９に記載した本発明の画像形成装置は、請求項６、７又は８に記載した本発明の画像形成装置において、前記ダミー用紙印刷実行手段が、前記印刷ジョブを加工し、該加工後の印刷ジョブに基づいて、前記ダミー用紙に対する前記透過防止用画像の印刷を前記画像印刷部に行わせることを特徴とする。
【００２６】
請求項４に記載した本発明の印刷済用紙の画像隠蔽方法によれば、請求項１、２又は３に記載した本発明の印刷済用紙の画像隠蔽方法において、また、請求項９に記載した本発明の画像形成装置によれば、請求項６、７又は８に記載した本発明の画像形成装置において、いずれも、印刷ジョブを実行前に加工するだけで、用紙に対する画像の印刷と、ダミー用紙に対する透過防止用画像の印刷と、排紙部に排紙された印刷済用紙の表面の画像を隠蔽する位置に積層されるようなダミー用紙の排紙部への排紙とが、１つの印刷ジョブの実行により全て実現されることになる。
【００２７】
このため、ダミー用紙に対する透過防止用画像の印刷を行うために、用紙に対する画像の印刷を行うための印刷ジョブとは異なる印刷ジョブを新たに発生させて実行する必要を無くし、全体の制御及び処理の増加を抑制することができる。
【００２８】
請求項５に記載した本発明の印刷済用紙の画像隠蔽方法は、請求項１、２、３又は４に記載した本発明の印刷済用紙の画像隠蔽方法において、前記印刷済用紙と前記ダミー用紙とを内部排紙部に一旦排紙して積層させ、該積層させた印刷済用紙と前記ダミー用紙とを前記排紙部に一括排紙するようにしたことを特徴とする。
【００２９】
請求項１０に記載した本発明の画像形成装置は、請求項６、７、８又は９に記載した本発明の画像形成装置において、前記画像形成装置の内部に配置され、前記ダミー用紙印刷実行手段により前記透過防止用画像が印刷された前記ダミー用紙と前記印刷済用紙とが排紙、積層される内部排紙部と、該内部排紙部において積層された前記印刷済用紙及び前記ダミー用紙を一括して前記排紙部に排紙する排紙手段とをさらに備えており、前記排紙部が、前記画像形成装置の外部に配置されていることを特徴とする。
【００３０】
請求項５に記載した本発明の印刷済用紙の画像隠蔽方法によれば、請求項１、２、３又は４に記載した本発明の印刷済用紙の画像隠蔽方法において、また、請求項１０に記載した本発明の画像形成装置によれば、請求項６、７、８又は９に記載した本発明の画像形成装置において、いずれも、ダミー用紙の排紙によって透過防止用画像により印刷済用紙の画像が隠蔽されるまでの間、印刷済用紙が画像形成装置の内部の内部排紙部に排紙される。したがって、積層されたダミー用紙と印刷済用紙とが一括して画像形成装置の外部の排紙部に排紙される段階では、印刷済用紙の表面であって外部に露出する画像は、ダミー用紙の透過防止用画像によって隠蔽された状態にある。
【００３１】
このため、内部排紙部に排紙された印刷済用紙とダミー用紙との、画像形成装置の外部の排紙部に対する一括排紙が、ユーザーの承認の有無とは無関係に行われる場合であっても、ダミー用紙に対する透過防止用画像の印刷が実行されてそのダミー用紙が排紙されるまでの間に、印刷済用紙の表面に位置する画像が衆目にさらされてしまうのを、防止することができる。
【発明の効果】
【００３２】
本発明によれば、印刷済用紙が画像形成装置の外部に配置された排紙部に排紙されても、その印刷済用紙の表面に印刷された画像が露出して衆目にさらされてしまうのを防止することができる。
【発明を実施するための最良の形態】
【００３３】
以下、本発明の実施形態について図面を参照しながら説明する。
【００３４】
図１は、本発明による画像形成装置の第１実施形態に係るインクジェット記録装置の概略構成を示す説明図である。
【００３５】
図１に示すように、本実施形態のインクジェット記録装置１は、原稿上の原稿画像を読み取って画像信号を出力するスキャナー部１０１と、スキャナー部１０１から出力された画像信号に基づいて記録紙（請求項中の用紙に相当）Ｐの記録面Ｐ１，Ｐ２（図２（ｂ）参照、おもて面Ｐ１、又は、おもて面Ｐ１とうら面Ｐ２の両面）に原稿画像を印刷（記録）するプリンター部１０２（請求項中の画像印刷部に相当）とを備えている。
【００３６】
また、本実施形態のインクジェット記録装置１は、給紙部１０５からプリンター部１０２を介して内部トレー１０９ａ（請求項中の内部排紙部に相当）まで、インクジェット記録装置１の筐体の内部で記録紙Ｐを搬送するためのベルト搬送部１０６、両面用ベルト搬送部１０７、両面用スタックトレー１０８、及び、搬送路１１２と、内部トレー１０９ａに一旦排紙された記録紙Ｐ等が一括して排紙される、インクジェット記録装置１の筐体の外部に配置された排紙部１０９と、各種の入力設定及び情報表示を行うディスプレイ１１０と、全体制御用の制御ユニット１０（図１１参照）等を備えている。
【００３７】
スキャナー部１０１は、原稿Ｍ（図２（ａ）参照）上の原稿画像Ｉを光電的に読み取り、原稿画像Ｉを構成する各画素のＲ成分、Ｇ成分、及び、Ｂ成分の８ビットのデジタル信号を出力するものである。このスキャナー部１０１は、原稿読取部１０１ａと自動原稿供給装置（以下ＡＤＦまたはＡＤＦユニットとする）１０１ｂとを有している。
【００３８】
原稿読取部１０１ａでは、ＡＤＦユニット１０１ｂの原稿セットトレーにセットされた１又は複数枚の原稿Ｍや、原稿載置ガラス台（図示せず）に載せた原稿Ｍからの、原稿画像Ｉの光学的な読み取りを行うことができる。スキャナー部１０１において原稿Ｍから読み取った原稿画像Ｉは、インクジェットヘッドユニット１０４によって、記録紙Ｐの記録面Ｐ１（又は記録面Ｐ１，Ｐ２）に印刷することができる。
【００３９】
図３に示すように、プリンター部１０２は、制御基板１０３とインクジェットヘッドユニット１０４とを備えている。このプリンター部１０２では、インクジェット記録装置１の外部からプリンタサーバ（図示せず）等を介して後述する制御ユニット１０（図１１参照）に入力される印刷ジョブによる印刷が行われる。この印刷ジョブは、記録紙Ｐの記録面Ｐ１（又は記録面Ｐ１，Ｐ２）に印刷する原稿画像Ｉ（図２（ａ）参照）や原稿サイズ、ページ数等のデータを含んでいる。
【００４０】
そして、プリンター部１０２は、入力された印刷ジョブの原稿画像Ｉのデータを基に制御基板１０３で生成したデジタル画像信号を用いて、給紙部１０５からベルト搬送部１０６により矢印ｂ方向に搬送された記録紙Ｐの記録面Ｐ１（又は記録面Ｐ１，Ｐ２）に対して、インクジェットヘッドユニット１０４によって原稿画像Ｉを印刷する。つまり、本実施形態では、原稿画像Ｉが請求項中の所定の画像に相当する。
【００４１】
なお、記録紙Ｐに片面印刷する場合は、記録紙Ｐがベルト搬送部１０６により内部トレー１０９ａに搬送され、さらに、排紙部１０９に搬送されて排紙される。一方、記録紙Ｐに両面印刷する場合は、ベルト搬送部１０６と搬送路１１２と両面用ベルト搬送部１０７との連係によって、片面（例えば、おもて面Ｐ１）への印刷済みの記録紙Ｐが反転状態で矢印ｂ方向から矢印ｃ方向に連続して搬送され、両面用スタックトレー１０８に一旦排紙される。そして、再びベルト搬送部１０６によりインクジェットヘッドユニット１０４に記録紙Ｐが搬送されて、残る片面（例えば、うら面Ｐ２）にも画像が印刷される。両面印刷済みの記録紙Ｐは、片面印刷の場合と同様に、ベルト搬送部１０６により内部トレー１０９ａに搬送され、さらに、排紙部１０９に搬送されて排紙される。
【００４２】
インクジェットヘッドユニット１０４は、図４に示すように、Ｙ（イエロー）成分、Ｍ（マゼンダ）成分、Ｃ（シアン）成分、及び、Ｋ（ブラック）成分のデジタル画像信号の各成分に対応した記録ヘッド４０〜４３と、記録ヘッド４０〜４３を駆動するヘッドドライバー４４とを備えている。
【００４３】
図３に示す制御基板１０３においては、入力された印刷ジョブにおける１枚分の原稿画像Ｉがデジタル画像信号の形で記憶され、そのデジタル画像信号に所定の画像処理が施される。処理済デジタル画像信号は、インクジェットヘッドユニット１０４に対して出力される。そのために、制御基板１０３は、図５に示すように、記憶手段１１３、カラー画像処理部１３３、信号変換部１２３、及び、インク量を設定するインク量設定手段１４３を備えている。
【００４４】
記憶手段１１３は、入力された印刷ジョブの１枚分の原稿画像Ｉに関する、Ｒ（レッド）成分、Ｇ（グリーン）成分、及び、Ｂ（ブルー）成分のデジタル画像信号と、所定の信号処理の施されたデジタル画像信号とを記憶する。
【００４５】
カラー画像処理部１３３は、記憶手段１１３に記憶されたＲ成分、Ｇ成分、及び、Ｂ成分のデジタル画像信号を、Ｙ成分、Ｍ成分、Ｃ成分、及び、Ｋ成分のデジタル画像信号に変換する。
【００４６】
信号変換部１２３は、カラー画像処理部１３３によりＹ成分、Ｍ成分、Ｃ成分、及び、Ｋ成分のデジタル画像信号における各画素データを、３ビットのデータに変換する。
【００４７】
インク量設定手段１４３は、信号変換部１２３において変換された３ビットの画素データに基づいてインクを吐出する際のインク量を設定する。インク量設定手段１４３が設定するインク量は、操作者がディスプレイ１１０により指定する濃度によっても変わる。
【００４８】
記憶手段１１３は、入力された印刷ジョブの１枚分の原稿画像Ｉに関するＲ成分、Ｇ成分、及び、Ｂ成分のデジタル画像信号を、各成分毎に記憶するフレームメモリ３０と、カラー画像処理部１３３により変換されたＹ成分、Ｍ成分、Ｃ成分、及び、Ｋ成分のデジタル画像信号などを記憶するワーキングメモリ３１と、インク量設定手段１４３によりインク量の設定されたＹ成分、Ｍ成分、Ｃ成分、及び、Ｋ成分のデジタル画像信号を記憶する駆動メモリ３２とを備えている。
【００４９】
具体的には、入力された印刷ジョブによる原稿画像Ｉに関する、Ｒ成分、Ｇ成分、及び、Ｂ成分に変換されたデジタル画像信号は、１枚分ずつ各成分毎にフレームメモリ３０に記憶される。
【００５０】
そして、この印刷指示に応じてフレームメモリ３０に記憶された１枚分の原稿画像Ｉに関するデジタル画像信号の画素データが、カラー画像処理部１３３に出力において、Ｒ成分、Ｇ成分、及び、Ｂ成分からＹ成分、Ｍ成分、Ｃ成分、及び、Ｋ成分に変換され、二値化処理された後、ワーキングメモリ３１に記憶される。
【００５１】
上記のように二値化されたＹ成分、Ｍ成分、Ｃ成分、及び、Ｋ成分の画素データは、それぞれの成分について信号変換部１２３により３ビットのデータに変換され、再びワーキングメモリ３１に各成分毎に記憶される。
【００５２】
上記の処理によって、１枚分の原稿画像Ｉに関するデジタル画像信号の処理済デジタル画像データが生成されて、各成分毎にワーキングメモリ３１に記憶される。そして、ワーキングメモリ３１に記憶された各成分毎の処理済デジタル画像信号は駆動メモリ３２に記憶される。駆動メモリ３２に記憶された処理済デジタル画像信号は、所定のタイミングでインクジェットヘッドユニット１０４に出力される。
【００５３】
そして、各成分毎の処理済デジタル画像信号が、図４に示すヘッドドライバー４４に入力され、ヘッドドライバー４４は、処理済デジタル画像信号を各成分に対応した記録ヘッド４０〜４３に出力し、各記録ヘッド４０〜４３に、処理済デジタル画像データに基づいて記録紙の搬送速度に同期させた所定のタイミングでインクを吐出させる。
【００５４】
上記のような処理が、先に説明した、図３の給紙部１０５からインクジェットヘッドユニット１０４への記録紙Ｐの搬送に同期して行われ、記録ヘッド４０〜４３から吐出されたインクが記録紙Ｐに転写されて、原稿画像Ｉが記録紙Ｐの記録面Ｐ１（又は記録面Ｐ１，Ｐ２）に印刷される。
【００５５】
内部トレー１０９ａは、開閉扉１１１ａを有しており、この開閉扉１１１ａが図３に示すように閉じている状態の間に内部トレー１０９ａに搬送、排紙された記録紙Ｐ等が、開閉扉１１１ａの開放（図３中想像線で示す）によって、記録紙Ｐ等の自重により、又は、不図示の搬送手段によって、一括して排紙部１０９に排紙される。
【００５６】
なお、図３のプリンター部１０２のレイアウト等からも明らかなように、本実施形態のインクジェット記録装置１では、印刷された記録紙Ｐが排紙部１０９にフェイスアップ排紙されるものとする。
【００５７】
ディスプレイ１１０は、スキャナー部１０１と共にプリンター部１０２の上部に配置されている。ディスプレイ１１０の画面にはタッチセンサ（図示せず）が貼着されている。このタッチセンサにより、ディスプレイ１１０に表示される各ボタンの押圧操作を検出することができる。
【００５８】
図６はインクジェット記録装置１に設けられたディスプレイ１１０の表示により構成される操作画面を示す説明図である。ディスプレイ１１０には、デフォルト画面として図６に示す基本メニュー画面が表示されている。この基本メニュー画面は、左側に現在の設定状態やセンサによる検出状態を表示するエリアを有しており、右側に印刷枚数を表示するカウンタ、印刷枚数等を入力設定するためのテンキー、印刷濃度を自動設定するための自動濃度ボタン、印刷濃度を手動で入力設定するための濃度入力ゲージ、及び、印刷のスタート、ストップの各キーを表示するエリアを有している。
【００５９】
基本メニュー画面の左側のエリアに表示されるのは、具体的には、スキャナー部１０１を用いる際のＡＤＦユニット１０１ｂに対する原稿（図示せず）のセット向き（縦向き（原稿台・ＡＦ）、横向き（原稿台・ＡＦ））、スキャナー部１０１にセットされる原稿、あるいは、外部からの印刷ジョブ中のデータで規定される原稿のサイズと向き（例えば、Ａ４縦、Ａ４横、Ｂ５縦等）、原稿画像Ｉを印刷する記録紙Ｐのサイズと向き（例えば、Ａ４縦、Ａ４横、Ｂ５縦等）、印刷倍率（等倍、拡大、縮小、倍率％表示）、印刷済みの記録紙Ｐのソートメニューの設定状態、機密文書排紙メニューの設定状態（ＯＮ（マスク）、ＯＮ（トーン均一化）、ＯＮ（ブラックアウト）、ＯＦＦ）、原稿画像Ｉを印刷した記録紙Ｐの排紙メニューの設定状態（一括排紙、通常排紙）である。
【００６０】
このうち、スキャナー部１０１に対する原稿のセット向きのエリアには、原稿セット向きに関する入力設定内容が表示される。表示される内容は、右端の設定ボタンを押圧操作することでディスプレイ１１０に階層的に切替表示される原稿セット向きに関する各設定画面（図示せず）において入力設定することができる。
【００６１】
次に、図６の基本メニュー画面における原稿のサイズと向きのエリアには、ＡＤＦユニット１０１ｂのセンサにより検出されたそれらの内容や、印刷ジョブ中のデータで規定されたそれらの内容が表示される。
【００６２】
続いて、図６の基本メニュー画面における原稿画像Ｉを印刷する記録紙Ｐのサイズと向きのエリアには、図３に示す給紙部１０５の用紙センサ５４６により検出されたそれらの内容（例えば、Ａ４縦、Ａ４横、Ｂ５縦等）が表示される。
【００６３】
次に、図６の基本メニュー画面における印刷倍率のエリアには、原稿画像Ｉを記録紙Ｐにどのような倍率で印刷するかに関する入力設定内容が表示される。表示される内容は、右端の設定ボタンを押圧操作することでディスプレイ１１０に切替表示される印刷倍率に関する設定画面（図示せず）において入力設定することができる。
【００６４】
続いて、図６の基本メニュー画面におけるソートメニューの設定状態のエリアには、原稿画像Ｉを印刷した後の記録紙Ｐのソートに関する入力設定内容が表示される。表示される内容は、右端の設定ボタンを押圧操作することでディスプレイ１１０に切替表示されるソートに関する設定画面（図示せず）において入力設定することができる。
【００６５】
次に、図６の基本メニュー画面における機密文書排紙の設定状態のエリアには、原稿画像Ｉが機密文書（機密性を帯びた内容）であるときの、原稿画像Ｉを印刷した後の記録紙Ｐの排紙に関する入力設定内容が表示される。表示される内容は、右端の設定ボタンを押圧操作することでディスプレイ１１０に切替表示される機密文書排紙に関する設定画面において入力設定される。
【００６６】
具体的には、機密文書排紙の設定ボタンの押圧操作により、まず、ディスプレイ１１０の表示が図６の基本メニュー画面から図７の機密文書排紙設定画面に切り替わる。この機密文書排紙設定画面では、原稿画像Ｉが機密文書であるため記録紙Ｐを専用の排紙方法とするか、それとも、原稿画像Ｉが機密文書ではないので記録紙Ｐを通常の排紙方法とするかと、専用の排紙方法として３つのモード（マスクモード、トーン均一化モード、ブラックアウトモード）のうちどのモードの専用排紙方法を選択するかとを、入力設定するようになっている。
【００６７】
なお、機密文書排紙設定画面でキャンセルボタンを押圧操作すると、図６の基本メニュー画面からディスプレイ１１０の表示が切り替わった以降に図７の機密文書排紙設定画面で行われた、機密文書排紙に関する入力設定内容が全てキャンセルされて、ディスプレイ１１０の表示が図６の基本メニュー画面に切り替わる。
【００６８】
一方、図７の機密文書排紙設定画面において、マスクモードのＯＮボタンを押圧操作すると、１つの印刷ジョブで印刷される１又は複数枚の記録紙Ｐの前後に１枚ずつマスク用のダミー用紙Ｄ１（参照）を排紙するマスクモードが選択される。また、機密文書排紙設定画面において、トーン均一化モードのＯＮボタンを押圧操作すると、１つの印刷ジョブで印刷される１又は複数枚の記録紙Ｐの前後に１枚ずつトーン均一化用のダミー用紙Ｄ２（参照）を排紙するトーン均一化モードが選択される。さらに、ブラックアウトモードのＯＮボタンを押圧操作すると、１つの印刷ジョブで印刷される１又は複数枚の記録紙Ｐの前後に１枚ずつブラックアウト用のダミー用紙Ｄ３（参照）を排紙するブラックアウトモードが選択される。
【００６９】
機密文書排紙設定画面左下の機密文書排紙なしボタンを押圧操作すると、１つの印刷ジョブで印刷される１又は複数枚の記録紙Ｐ以外にダミー用紙を排紙しない通常排紙モードが選択される。
【００７０】
図７の機密文書排紙設定画面において入力設定した内容は、画面右下のキャンセルボタンを押圧操作することでキャンセルされ、また、確定ボタンを押圧操作することで確定する。そして、いずれの場合にも、ディスプレイ１１０の表示が図６の基本メニュー画面に戻る。図７の機密文書排紙設定画面における確定ボタンの押圧操作によりディスプレイ１１０の表示が図６の基本メニュー画面に戻った場合は、機密文書排紙メニューの設定状態として、図７の機密文書排紙設定画面において入力設定した内容（ＯＮ（マスク、トーン均一化、ブラックアウト）、ＯＦＦ）が表示される。
【００７１】
ここで、図７の機密文書排紙設定画面においていずれかのモードを選択することで設定可能な専用の排紙方法について、図８（ａ），（ｂ）を参照して説明する。
【００７２】
まず、１つの印刷ジョブによって１又は複数枚の記録紙Ｐに機密性を有する内容の原稿画像Ｉが印刷されるものとする。ここで、１つの印刷ジョブによる印刷後に記録紙Ｐ（この場合は複数枚）がフェイスアップ排紙されて積層されると、図８（ａ）に示すように、積層された記録紙Ｐの一番上に、記録紙Ｐに印刷された原稿画像Ｉが露出する。同様に、１つの印刷ジョブによる印刷後に記録紙Ｐ（この場合は複数枚）がフェイスダウン排紙されて積層されると、図８（ｂ）に示すように、積層された記録紙Ｐの一番下に、記録紙Ｐに印刷された原稿画像Ｉが露出する。
【００７３】
そこで、図７の機密文書排紙設定画面においていずれかのモードを選択すると、図８（ａ），（ｂ）に示すように、積層された一番上の記録紙Ｐの上、又は、積層された一番下の記録紙Ｐの下に位置するように、透過防止用画像Ｍ１（Ｍ２，Ｍ３）を印刷したダミー用紙Ｄ１（Ｄ２，Ｄ３）が排紙される。したがって、積層された一番上や一番下の記録紙Ｐの原稿画像Ｉを見るには、その上や下に排紙されたダミー用紙Ｄ１（Ｄ２，Ｄ３）越しに透かして見るしかなくなる。
【００７４】
ここで、図８（ａ），（ｂ）に示すように排紙されるダミー用紙Ｄ１，Ｄ２，Ｄ３について、図７の機密文書排紙設定画面において設定可能な３つのモード別に、図９（ａ）〜（ｄ）を参照して説明する。
【００７５】
まず、１つの印刷ジョブで印刷される１又は複数枚の記録紙Ｐの先頭又は最後に、図９（ａ）に示す４つの画面領域Ｒ１〜Ｒ４を有する原稿画像Ｉが印刷されるものとする。ここで、画面領域Ｒ１は、低印刷濃度、低印刷密度、赤色で印刷された領域であり、画面領域Ｒ２は、高印刷濃度、低印刷密度、青色で印刷された領域であり、画面領域Ｒ３は、低印刷濃度、高印刷密度、緑色で印刷された領域であり、画面領域Ｒ４は、高印刷濃度、高印刷密度、黒色で印刷された領域であるものとする。
【００７６】
これに対して、マスクモードにおいては、図９（ｂ）に示すように、記録紙Ｐの原稿画像Ｉの全体を覆う大きさの透過防止用画像Ｍ１（請求項中の第１の透過防止用画像に相当）が印刷されたダミー用紙Ｄ１を排紙する。なお、透過防止用画像Ｍ１の内容は、ランダムな文字や記号であってもよく、マトリクス状に配置した多数のドットによるものや一面の黒ベタ画像であってもよい。
【００７７】
マスクモードにおいては、このような透過防止用画像Ｍ１が印刷されたダミー用紙Ｄ１を、図８（ａ），（ｂ）に示すように積層された一番上の記録紙Ｐの上、又は、積層された一番下の記録紙Ｐの下に位置するように排紙することで、一番上や一番下の記録紙Ｐの原稿画像Ｉが、その上や下のダミー用紙Ｄ１の透過防止用画像Ｍ１に全て覆われる。
【００７８】
そのため、一番上や一番下の記録紙Ｐの原稿画像Ｉは最早、透過防止用画像Ｍ１の存在によって視認性を損なわれてしまい、ダミー用紙Ｄ１越しに透かして見て内容を認識することができなくなる。
【００７９】
また、トーン均一化モードにおいては、図９（ｃ）に示すように、４つの画面領域Ｔ１〜Ｔ４を有する透過防止用画像Ｍ２（請求項中の逆分布画像に相当）が印刷されたダミー用紙Ｄ２を排紙する。透過防止用画像Ｍ２の各画面領域Ｔ１〜Ｔ４は、記録紙Ｐと積層された状態で、記録紙Ｐの原稿画像Ｉの４つの画面領域Ｒ１〜Ｒ４と重なる位置にそれぞれ配置されている。
【００８０】
ここで、ダミー用紙Ｄ２の透過防止用画像Ｍ２は、記録紙Ｐの原稿画像Ｉとは逆の印刷濃度及び印刷密度の分布を有している。詳しくは、透過防止用画像Ｍ２の画面領域Ｔ１は、対応する原稿画像Ｉの画面領域Ｒ１の印刷濃度及び印刷密度と反対の印刷特性である、高印刷濃度、高印刷密度で印刷されている。
【００８１】
透過防止用画像Ｍ２の他の画面領域Ｔ２〜Ｔ４も同様に、対応する原稿画像Ｉの各画面領域Ｒ２〜Ｒ４の印刷濃度及び印刷密度と反対の印刷特性でそれぞれ印刷されている。つまり、画面領域Ｔ２は低印刷濃度、高印刷密度、画面領域Ｔ３は高印刷濃度、低印刷密度、画面領域Ｔ４は低印刷濃度、低印刷密度でそれぞれ印刷されている。
【００８２】
なお、透過防止用画像Ｍ２の各画面領域Ｔ１〜Ｔ４の印刷色は任意である。但し、減法混色の関係から、原稿画像Ｉの対応する各画面領域Ｒ１〜Ｒ４の印刷色に対して、同色又は色相環上の隣接色の関係にある色で、透過防止用画像Ｍ２の各画面領域Ｔ１〜Ｔ４を印刷することが、より効果的である。
【００８３】
また、印刷濃度や印刷密度は、１ドットに対するインクのドロップ数やドットピッチ（解像度）によって適宜調整することができる。
【００８４】
トーン均一化モードにおいては、このような透過防止用画像Ｍ２が印刷されたダミー用紙Ｄ２を、図８（ａ），（ｂ）に示すように積層された一番上の記録紙Ｐの上、又は、積層された一番下の記録紙Ｐの下に位置するように排紙することで、一番上や一番下の記録紙Ｐの原稿画像Ｉの各画面領域Ｒ１〜Ｒ４に、その上や下のダミー用紙Ｄ２の対応する画面領域Ｔ１〜Ｔ４がそれぞれ重なる。
【００８５】
すると、原稿画像Ｉの低印刷濃度の画面領域Ｒ１，Ｒ３にはダミー用紙Ｄ２の透過防止用画像Ｍ２の高印刷濃度の画面領域Ｔ１，Ｔ３が、原稿画像Ｉの高印刷濃度の画面領域Ｒ２，Ｒ４にはダミー用紙Ｄ２の透過防止用画像Ｍ２の低印刷濃度の画面領域Ｔ２，Ｔ４が、それぞれ重なる。
【００８６】
これにより、原稿画像Ｉと透過防止用画像Ｍ２とを重ねると、画面領域Ｒ１と画面領域Ｔ１とが重なった部分、画面領域Ｒ２と画面領域Ｔ２とが重なった部分、画面領域Ｒ３と画面領域Ｔ３とが重なった部分、及び、画面領域Ｒ４と画面領域Ｔ４とが重なった部分の全てにおいて、高印刷濃度の画像と低印刷濃度の画像とが重なった状態となる。
【００８７】
また、原稿画像Ｉの低印刷密度の画面領域Ｒ１，Ｒ２にはダミー用紙Ｄ２の透過防止用画像Ｍ２の高印刷濃度の画面領域Ｔ１，Ｔ２が、原稿画像Ｉの高印刷濃度の画面領域Ｒ３，Ｒ４にはダミー用紙Ｄ２の透過防止用画像Ｍ２の低印刷濃度の画面領域Ｔ３，Ｔ４が、それぞれ重なる。
【００８８】
これにより、原稿画像Ｉと透過防止用画像Ｍ２とを重ねると、画面領域Ｒ１と画面領域Ｔ１とが重なった部分、画面領域Ｒ２と画面領域Ｔ２とが重なった部分、画面領域Ｒ３と画面領域Ｔ３とが重なった部分、及び、画面領域Ｒ４と画面領域Ｔ４とが重なった部分の全てにおいて、高印刷密度の画像と低印刷密度の画像とが重なった状態となる。
【００８９】
したがって、画面領域Ｒ１と画面領域Ｔ１とが重なった部分、画面領域Ｒ２と画面領域Ｔ２とが重なった部分、画面領域Ｒ３と画面領域Ｔ３とが重なった部分、及び、画面領域Ｒ４と画面領域Ｔ４とが重なった部分の相互間における印刷密度のギャップが、視覚上ほぼ無くなる。
【００９０】
そのため、一番上や一番下の記録紙Ｐの原稿画像Ｉは最早、透過防止用画像Ｍ２の存在によって、印刷濃度の濃淡や印刷密度の粗密が無い均一なトーンの画像としてしか視認できなくなってしまう。即ち、原稿画像Ｉと透過防止用画像Ｍ２とが均一なトーンの単一画像として視認される。そのため、原稿画像Ｉと透過防止用画像Ｍ２とを区別して認識することができなくなる。
【００９１】
次に、ブラックアウトモードにおいては、図９（ｄ）に示すように、４つの画面領域Ｈ１〜Ｈ４を有する透過防止用画像Ｍ３（請求項中の補色分布画像に相当）が印刷されたダミー用紙Ｄ３を排紙する。透過防止用画像Ｍ３の各画面領域Ｈ１〜Ｈ４は、記録紙Ｐと積層された状態で、記録紙Ｐの原稿画像Ｉの４つの画面領域Ｒ１〜Ｒ４と重なる位置にそれぞれ配置されている。
【００９２】
ここで、ダミー用紙Ｄ３の透過防止用画像Ｍ３は、記録紙Ｐの原稿画像Ｉにおけるの色分布に対する補色関係の色分布を有している。詳しくは、透過防止用画像Ｍ３の画面領域Ｈ１は、対応する原稿画像Ｉの画面領域Ｒ１の印刷色である赤色と補色関係にある青色（緑色でも可）で印刷されている。
【００９３】
透過防止用画像Ｍ３の画面領域Ｈ２，Ｈ３も同様に、対応する原稿画像Ｉの各画面領域Ｒ２，Ｒ３の印刷色である青色、緑色と補色関係にある緑色（赤色でも可）、赤色（青色でも可）でそれぞれ印刷されている。なお、黒色で印刷された原稿画像Ｉの画面領域Ｒ４に対応する透過防止用画像Ｍ３の画面領域Ｔ４は、任意の色で印刷することができるが、本実施形態では黒色で印刷されているものとする。
【００９４】
ブラックアウトモードにおいては、このような透過防止用画像Ｍ３が印刷されたダミー用紙Ｄ３を、図８（ａ），（ｂ）に示すように積層された一番上の記録紙Ｐの上、又は、積層された一番下の記録紙Ｐの下に位置するように排紙することで、一番上や一番下の記録紙Ｐの原稿画像Ｉの各画面領域Ｒ１〜Ｒ４に、その上や下のダミー用紙Ｄ３の対応する画面領域Ｈ１〜Ｈ４がそれぞれ重なる。
【００９５】
すると、原稿画像Ｉの赤色で印刷された画面領域Ｒ１にはダミー用紙Ｄ３の透過防止用画像Ｍ３の青色で印刷された画面領域Ｈ１が、原稿画像Ｉの青色で印刷された画面領域Ｒ２にはダミー用紙Ｄ３の透過防止用画像Ｍ３の緑色で印刷された画面領域Ｈ２が、原稿画像Ｉの緑色で印刷された画面領域Ｒ３にはダミー用紙Ｄ３の透過防止用画像Ｍ３の赤色で印刷された画面領域Ｈ３が、原稿画像Ｉの黒色で印刷された画面領域Ｒ４にはダミー用紙Ｄ３の透過防止用画像Ｍ４の黒色で印刷された画面領域Ｈ４が、それぞれ重なる。
【００９６】
これにより、原稿画像Ｉと透過防止用画像Ｍ３とを重ねると、画面領域Ｒ１と画面領域Ｈ１とが重なった部分、画面領域Ｒ２と画面領域Ｈ２とが重なった部分、及び、画面領域Ｒ３と画面領域Ｈ３とが重なった部分の全てにおいて、互いの印刷色が補色関係にある２つの色が重なって、減法混色により黒色が視認されるブラックアウト状態が発生する。
【００９７】
したがって、元々黒色でそれぞれ印刷された原稿画像Ｉの画面領域Ｒ４と透過防止用画像Ｍ３の画面領域Ｈ４とが重なった部分を含めて、透過防止用画像Ｍ３を透かして原稿画像Ｉを見ようとしても、その全体が黒色にしか視認できなくなってしまう。即ち、原稿画像Ｉと透過防止用画像Ｍ３とが黒色の単一画像として視認される。そのため、原稿画像Ｉと透過防止用画像Ｍ２とを区別して認識することができなくなる。
【００９８】
なお、以上に説明したマスク、トーン均一化、ブラックアウトの各モードの選択によって排紙されるダミー用紙Ｄ１，Ｄ２，Ｄ３に対する透過防止用画像Ｍ１，Ｍ２，Ｍ３の印刷は、プリンター部１０２のインクジェットヘッドユニット１０４において行われる。また、透過防止用画像Ｍ１，Ｍ２，Ｍ３の印刷は、ダミー用紙Ｄ１，Ｄ２，Ｄ３を積層する対象の記録紙Ｐに対する原稿画像Ｉの印刷要求を示す印刷ジョブを、後述する制御ユニット１０（図１１参照）が加工して処理することで、この加工後の印刷ジョブの一部として実行される。制御ユニット１０が行う処理の詳細は、図１２乃至図１４を参照して後述する。
【００９９】
話をディスプレイ１１０に表示される操作画面の説明に戻して、図６の基本メニュー画面における排紙メニューの設定状態のエリアには、原稿画像Ｉを印刷した記録紙Ｐと、透過防止用画像Ｍ１，Ｍ２，Ｍ３を印刷したダミー用紙Ｄ１，Ｄ２，Ｄ３の排紙に関する入力設定内容が表示される。表示される内容は、右端の設定ボタンを押圧操作することでディスプレイ１１０に切替表示される排紙に関する設定画面において入力設定される。但し、この入力設定は、上述したマスクモード、トーン均一化モード、ブラックアウトモードのいずれかの機密文書専用の排紙モードが設定されている状態に限って有効となる。
【０１００】
具体的には、排紙の設定ボタンの押圧操作により、まず、ディスプレイ１１０の表示が図６の基本メニュー画面から図１０の排紙設定画面に切り替わる。この排紙設定画面では、原稿画像Ｉを印刷した印刷ジョブ１つ分の記録紙Ｐ（１又は複数枚）や、透過防止用画像Ｍ１，Ｍ２，Ｍ３を印刷したダミー用紙Ｄ１，Ｄ２，Ｄ３を、一括排紙するか通常排紙するかを入力設定するようになっている。
【０１０１】
排紙設定画面で一括排紙する（一括排紙ＯＮ）と入力設定すると、１つの印刷ジョブ分の印刷が終わるまで、記録紙Ｐ（１又は複数枚）やダミー用紙Ｄ１，Ｄ２，Ｄ３をインクジェット記録装置１の内部トレー１０９ａに搬送したところで止めておき、それらの記録紙Ｐやダミー用紙Ｄ１，Ｄ２，Ｄ３を印刷ジョブの終了後に一括して排紙部１０９に排紙する一括排紙が行われる。一方、一括排紙しない（一括排紙ＯＦＦ）と入力設定すると、内部トレー１０９ａを開閉扉１１１ａの開放によりスルーさせて、インクジェットヘッドユニット１０４で印刷が行われた記録紙Ｐやダミー用紙Ｄ１の透過防止用画像Ｍ１を排紙部１０９に１枚ずつ排紙する通常排紙が行われる。
【０１０２】
図１０の排紙設定画面において入力設定した内容は、画面右下のキャンセルボタンを押圧操作することでキャンセルされ、また、確定ボタンを押圧操作することで確定する。そして、いずれの場合にも、ディスプレイ１１０の表示が図６の基本メニュー画面に戻る。図１０の排紙設定画面における確定ボタンの押圧操作によりディスプレイ１１０の表示が図６の基本メニュー画面に戻った場合は、排紙メニューの設定状態として、図１０の排紙設定画面において入力設定した内容（一括排紙、通常排紙）が表示される。
【０１０３】
以上に説明したインクジェット記録装置１の各部の動作は、後述する制御ユニット１０に設けられたＣＰＵ９０（図１１参照）によって制御される。
【０１０４】
図１１は図１のインクジェット記録装置に設けられる制御ユニットの概略構成を示すブロック図である。
【０１０５】
図１１に示すように、インクジェット記録装置１の制御ユニット１０はＣＰＵ９０を備える。このＣＰＵ９０は、ＲＯＭ９１に格納されているプログラム及び設定情報に基づいて、ディスプレイ１１０から入力設定される内容に応じたスキャナー部１０１やプリンター部１０２の動作を制御する。なお、ＣＰＵ９０にはＲＡＭ９２が設けられており、ＲＡＭ９２にはディスプレイ１１０から入力された印刷枚数や各種の設定内容が随時記憶される。
【０１０６】
インクジェット記録装置１においては、外部からの印刷ジョブが入力されると、その印刷ジョブ中の原稿画像Ｉのデータ等にしたがって、制御ユニット１０のＣＰＵ９０の制御により、原稿画像Ｉがプリンター部１０２によって記録紙Ｐの記録面Ｐ１（又は記録面Ｐ１，Ｐ２）に印刷される。また、ディスプレイ１１０の機密文書排紙設定画面において、機密文書専用の排紙モード（マスクモード、トーン均一化モード、ブラックアウトモードのいずれか）が設定されている場合は、透過防止用画像（透過防止用画像Ｍ１，Ｍ２，Ｍ３のいずれか）がプリンター部１０２によって記録紙Ｐの記録面Ｐ１に印刷されてダミー用紙（ダミー用紙Ｄ１，Ｄ２，Ｄ３のいずれか）が印刷される。これらの記録紙Ｐ（又は記録紙Ｐとダミー用紙Ｄ１，Ｄ２，Ｄ３）は、内部トレー１０９ａを介して排紙部１０９に排紙される。
【０１０７】
以下、そのような印刷を行うためにインクジェット記録装置１の制御ユニット１０のＣＰＵ９０が行う処理の手順について、図１２乃至図１４のフローチャートを参照して説明する。
【０１０８】
まず、インクジェット記録装置１の電源が投入された後、ＣＰＵ９０は、図１２に示すように、印刷ジョブが入力されたか否かを判断し（ステップＳ１）、入力されていない場合は（ステップＳ１でＮＯ）、後述するステップＳ５１に処理を移行する。一方、印刷ジョブが入力された場合は（ステップＳ１でＹＥＳ）、マスクモード、トーン均一化モード、ブラックアウトモードのいずれかの機密文書排紙モードが設定されているか否かを判断する（ステップＳ３）。機密文書排紙モードが設定されていない場合は（ステップＳ３でＮＯ）、後述するステップＳ４７に処理を移行する。
【０１０９】
一方、機密文書排紙モードが設定されている場合は（ステップＳ３でＹＥＳ）、一括排紙が設定されているか否かを判断する（ステップＳ５）。設定されていない場合は（ステップＳ５でＮＯ）、後述するステップＳ１１に処理を移行する。一方、一括排紙が設定されている場合は（ステップＳ５でＹＥＳ）、開放状態にある内部トレー１０９ａの開閉扉１１１ａを閉じさせた後（ステップＳ７）、ＲＡＭ９２の一括排紙フラグエリアのフラグＦ５（デフォルト＝「０」）を「１」に設定する（ステップＳ９）。その後、ステップＳ１１に処理を移行する。
【０１１０】
ステップＳ１１では、入力された印刷ジョブの内容から、その印刷ジョブによる原稿画像Ｉの記録紙Ｐに対する印刷が終了して排紙部１０９に記録紙Ｐが排紙、積層された際に、積層された記録紙Ｐにおいて原稿画像Ｉが露出するのが、積層された一番上の記録紙Ｐと一番下の記録紙Ｐと、両方の記録紙Ｐとのいずれであるかを判断する。
【０１１１】
積層された一番上の記録紙Ｐのみで原稿画像Ｉが露出すると判断した場合は（ステップＳ１１でＵ）、ＲＡＭ９２の上露出フラグエリアのフラグＦ１（デフォルト＝「０」）を「１」に設定した後（ステップＳ１３）、後述するステップＳ１９に処理を移行する。また、積層された一番下の記録紙Ｐのみで原稿画像Ｉが露出すると判断した場合は（ステップＳ１１でＢ）、ＲＡＭ９２の下露出フラグエリアのフラグＦ３（デフォルト＝「０」）を「１」に設定した後（ステップＳ１５）、ステップＳ１９に処理を移行する。さらに、積層された一番上の記録紙Ｐと一番下の記録紙Ｐとの両方で原稿画像Ｉが露出すると判断した場合は（ステップＳ１１でＵＢ）、上露出フラグＦ１と下露出フラグＦ３の両方を「１」に設定した後（ステップＳ１７）、ステップＳ１９に処理を移行する。
【０１１２】
図１３に示すように、ステップＳ１９では、下露出フラグＦ３が「１」であるか否かを判断し、「１」でない場合は（ステップＳ１９でＮＯ）、後述するステップＳ２７に処理を移行する。一方、下露出フラグＦ３が「１」である場合は（ステップＳ１９でＹＥＳ）、入力された印刷ジョブの印刷を実行した後に排紙部１０９の一番下に積層される、１枚目に印刷される記録紙Ｐの原稿画像Ｉについて、印刷ジョブ中のデータを解析し、設定されている機密文書排紙モードに応じた透過防止用画像（透過防止用画像Ｍ１，Ｍ２，Ｍ３のいずれか）の印刷に必要な情報を取得する。そして、取得した情報を基にして、設定されている機密文書排紙モードに応じた透過防止用画像（透過防止用画像Ｍ１，Ｍ２，Ｍ３のいずれか）のデータを生成し、生成したデータによる透過防止用画像の印刷を冒頭部分に挿入する印刷ジョブの加工を行う（ステップＳ２１）。
【０１１３】
続いて、加工した印刷ジョブに基づいて、透過防止用画像をインクジェットヘッドユニット１０４において１枚の記録紙Ｐに印刷させる（ステップＳ２３）。続いて、この印刷により発生したダミー用紙（ダミー用紙Ｄ１，Ｄ２，Ｄ３のいずれか）を内部トレー１０９ａに向けて搬送させる（ステップＳ２５）。その後、ステップＳ２７に処理を移行する。
【０１１４】
ステップＳ２７では、入力された印刷ジョブによる原稿画像Ｉの記録紙Ｐに対する印刷を、印刷ジョブで規定された枚数分だけインクジェットヘッドユニット１０４において行わせ、印刷された記録紙Ｐを内部トレー１０９ａに向けて搬送させる（ステップＳ２９）。
【０１１５】
次に、ステップＳ３１において、上露出フラグＦ１が「１」であるか否かを判断し、「１」でない場合は（ステップＳ３１でＮＯ）、後述するステップＳ３９に処理を移行する。一方、上露出フラグＦ１が「１」である場合は（ステップＳ３１でＹＥＳ）、入力された印刷ジョブの印刷を実行した後に排紙部１０９の一番上に積層される、最後に印刷される記録紙Ｐの原稿画像Ｉについて、印刷ジョブ中のデータを解析し、設定されている機密文書排紙モードに応じた透過防止用画像（透過防止用画像Ｍ１，Ｍ２，Ｍ３のいずれか）の印刷に必要な情報を取得する。そして、取得した情報を基にして、設定されている機密文書排紙モードに応じた透過防止用画像（透過防止用画像Ｍ１，Ｍ２，Ｍ３のいずれか）のデータを生成し、生成したデータによる透過防止用画像の印刷を最終部分に挿入する印刷ジョブの加工を行う（ステップＳ３３）。
【０１１６】
続いて、加工した印刷ジョブに基づいて、透過防止用画像をインクジェットヘッドユニット１０４において１枚の記録紙Ｐに印刷させる（ステップＳ３５）。続いて、この印刷により発生したダミー用紙（ダミー用紙Ｄ１，Ｄ２，Ｄ３のいずれか）を内部トレー１０９ａに向けて搬送させる（ステップＳ３７）。その後、ステップＳ３９に処理を移行する。
【０１１７】
図１４に示すように、ステップＳ３９では、一括排紙フラグＦ５が「１」であるか否かを判断し、「１」でない場合は（ステップＳ３９でＮＯ）、後述するステップＳ４５に処理を移行する。一方、一括排紙フラグＦ５が「１」である場合は（ステップＳ３９でＹＥＳ）、閉じている内部トレー１０９ａの開閉扉１１１ａを開放させ（ステップＳ４１）、一括排紙フラグＦ５を「０」に設定した後（ステップＳ４３）、ステップＳ４５に処理を移行する。
【０１１８】
ステップＳ４５では、上露出フラグＦ１及び下露出フラグＦ３いずれもを「０」に設定する。その後、ステップＳ５１に処理を移行する。
【０１１９】
また、ステップＳ４７では、入力された印刷ジョブによる原稿画像Ｉの記録紙Ｐに対する印刷を、印刷ジョブで規定された枚数分だけインクジェットヘッドユニット１０４において行わせ、印刷された記録紙Ｐを内部トレー１０９ａに向けて搬送させた後（ステップＳ４９）、ステップＳ５１に処理を移行する。
【０１２０】
ステップＳ５１では、インクジェット記録装置１の電源が切断されたか否かを判断し、切断されていない場合は（ステップＳ５１でＮＯ）、ステップＳ１に処理を移行し、切断された場合は（ステップＳ５１でＹＥＳ）、一連の処理を終了する。
【０１２１】
以上の説明からも明らかなように、本実施形態のインクジェット記録装置１においては、図１３のフローチャートにおけるステップＳ２１及びステップＳ３３が、請求項中の第１、第２の設定手段（逆分布画像設定手段、補色分布画像設定手段）、及び、決定手段に対応する処理となっている。また、本実施形態のインクジェット記録装置１においては、図１３中のステップＳ２３、ステップＳ２５、ステップＳ３５、及び、ステップＳ３７が、請求項中のダミー用紙印刷実行手段に対応する処理となっている。
【０１２２】
さらに、本実施形態のインクジェット記録装置１においては、図１２のフローチャートにおけるステップＳ７、及び、図１４のフローチャートにおけるステップＳ４１の処理を実行するＣＰＵ９０と、内部トレー１０９ａの開閉扉１１１ａと、開閉扉１１１ａの開放状態において内部トレー１０９ａから排紙部１０９に搬送する前記不図示の搬送手段とによって、請求項中の排紙手段が構成されている。
【０１２３】
上述した手順による処理をＣＰＵ９０が実行することで、インクジェット記録装置１においては、印刷ジョブが発生する毎に、その印刷ジョブによって原稿画像Ｉが印刷される記録紙Ｐのうち、排紙部１０９に排紙されて積層された際に原稿画像Ｉが外部に露出するような、図８（ａ）に示すようにフェイスアップ排紙された一番上の記録紙Ｐの上に、又は、図８（ｂ）に示すようにフェイスダウン排紙された一番下の記録紙Ｐの下に、透過防止用画像Ｍ１，Ｍ２，Ｍ３を印刷したダミー用紙Ｄ１，Ｄ２，Ｄ３が排紙される。
【０１２４】
そして、フェイスアップ排紙された一番上の記録紙Ｐやフェイスダウン排紙された一番下の記録紙Ｐの原稿画像Ｉが、排紙されたダミー用紙Ｄ１の透過防止用画像Ｍ１によってマスクされ、又は、排紙されたダミー用紙Ｄ２の透過防止用画像Ｍ２と重って、印刷濃度の濃淡や印刷密度の粗密が無い均一トーンの合成画像とされ、あるいは、排紙されたダミー用紙Ｄ３の、原稿画像Ｉと補色関係にある色分布の透過防止用画像Ｍ３と重なって、ブラックアウト化される。これにより、ダミー用紙Ｄ１，Ｄ２，Ｄ３越しに透かして原稿画像Ｉを見てその内容を認識することができなくなる。
【０１２５】
したがって、本実施形態のインクジェット記録装置１によれば、排紙部１０９において外部に露出する一番上のフェイスアップ排紙された記録紙Ｐの原稿画像Ｉや、排紙部１０９から自分のデスク等に持ち運んだ際に外部に露出する場合がある一番下のフェイスダウン排紙された記録紙Ｐの原稿画像Ｉを、原稿画像Ｉを印刷した記録紙Ｐと共に排紙部１０９に排紙したダミー用紙Ｄ１，Ｄ２，Ｄ３とその透過防止用画像Ｍ１，Ｍ２，Ｍ３との存在によって、衆目にさらされないようにすることができる。
【０１２６】
しかも、本実施形態のインクジェット記録装置１によれば、全ての原稿画像Ｉや透過防止用画像Ｍ１，Ｍ２，Ｍ３の印刷が終了するまで、印刷された記録紙Ｐやダミー用紙Ｄ１，Ｄ２，Ｄ３を、筐体内部の内部トレー１０９ａに排紙して積層させ、積層された記録紙Ｐの一番上の記録紙Ｐのさらに上や、一番下の記録紙Ｐのさらに下に、ダミー用紙Ｄ１，Ｄ２，Ｄ３が積層された状態で、これらの記録紙Ｐ及びダミー用紙Ｄ１，Ｄ２，Ｄ３を一括して筐体外部の排紙部１０９に排紙する構成とした。
【０１２７】
このため、例えば、印刷ジョブに規定された枚数の原稿画像Ｉの印刷が終わるまでの間に排紙部１０９に順次フェイスアップ排紙された記録紙Ｐの原稿画像Ｉが、その後にダミー用紙Ｄ１，Ｄ２，Ｄ３が排紙部１０９に排紙されるまで、排紙部１０９において衆目にさらされてしまうのを、防止することができる。
【０１２８】
なお、機密文書排紙メニューにおいてブラックアウトモードを設定した場合、先に図９（ｄ）を参照して説明したように、ダミー用紙Ｄ３の透過防止用画像Ｍ３の画面領域Ｈ１は青色と緑色のどちらの色で印刷することもできる。そこで、図１３のステップＳ２３やステップＳ３５において透過防止用画像Ｍ３のデータを生成する際に、青色と緑色のうちインク残量の多い方の色を画面領域Ｈ１の印刷色とする透過防止用画像Ｍ３のデータを生成するように、構成してもよい。
【０１２９】
同様に、機密文書排紙メニューにおいてブラックアウトモードを設定した場合、ダミー用紙Ｄ３の透過防止用画像Ｍ３の画面領域Ｈ２は緑色と赤色のどちらの色で印刷することもでき、透過防止用画像Ｍ３の画面領域Ｈ３は赤色と青色のどちらの色で印刷することもできる。そこで、図１３のステップＳ２３やステップＳ３５において透過防止用画像Ｍ３のデータを生成する際に、緑色と赤色のうちインク残量の多い方の色を画面領域Ｈ２の印刷色とし、かつ、赤色と青色のうちインク残量の多い方の色を画面領域Ｈ３の印刷色とする透過防止用画像Ｍ３のデータを生成するように、構成してもよい。
【０１３０】
そのように構成すれば、ブラックアウトモードによるダミー用紙Ｄ３のインクジェットヘッドユニット１０４による印刷で残量の少ないインク色が積極的に消費されて、記録紙Ｐに対する原稿画像Ｉの印刷が特定色のみのインク切れにより実行できなくなってしまう事態の発生を、極力抑制することができる。
【０１３１】
さらに、上述した実施形態では、説明の理解を容易にするため、原稿画像Ｉの各画面領域Ｒ１，Ｒ２，Ｒ３が、赤色、青色、及び、緑色のインクでそれぞれ単色印刷され、それらの補色関係にある青色（又は緑色）、緑色（又は赤色）、及び、赤色（又は青色）で、ダミー用紙Ｄ３の透過防止用画像Ｍ３の対応する画面領域Ｈ１，Ｈ２，Ｈ３がそれぞれ単色印刷されている場合について説明した。
【０１３２】
しかし、各画面領域Ｒ１，Ｒ２，Ｒ３が単色でなく複数色のインクを用いて印刷されている場合にも本発明は適用可能である。その場合、例えば透過防止用画像Ｍ３の画面領域Ｈ１は、対応する原稿画像Ｉの画面領域Ｒ１における各色の配置に対応して、その補色関係にある各色を配置した色分布で印刷されることになる。透過防止用画像Ｍ３の他の画面領域Ｈ２，Ｈ３も、それぞれに対応する原稿画像Ｉの各画面領域Ｒ２，Ｒ３における各色の配置に対応して、その補色関係にある各色を配置した色分布でそれぞれ印刷されることになる。
【０１３３】
また、本実施形態では、インクジェット記録装置１の筐体内部に内部トレー１０９ａを設けて、原稿画像Ｉを印刷した記録紙Ｐや透過防止用画像Ｍ１，Ｍ２，Ｍ３を印刷したダミー用紙Ｄ１，Ｄ２，Ｄ３を内部トレー１０９ａに一旦排紙させ、全ての排紙が終わった後にそれらを一括して排紙部１０９に排紙させる構成とした。
【０１３４】
しかし、装置外部の排紙部に一括排紙する前に用紙（記録紙Ｐ）やダミー用紙（ダミー用紙Ｄ１，Ｄ２，Ｄ３）を排紙する装置内部の内部排紙部は、インクジェット記録装置１自身の内部に必ずしも設ける必要はない。
【０１３５】
例えば、図１５に示す本発明の第２実施形態に係る画像形成システムのように、印刷後の記録紙Ｐに対するソートやステープル止め等の後処理を行うフィニッシャー２をインクジェット記録装置１に接続して運用する場合には、フィニッシャー２が内蔵している内部トレー２０９ａに、原稿画像Ｉを印刷した記録紙Ｐや透過防止用画像Ｍ１，Ｍ２，Ｍ３を印刷したダミー用紙Ｄ１，Ｄ２，Ｄ３を一旦排紙させ、全ての排紙が終わった後にそれらを一括してフィニッシャー２の筐体外部の排紙部２０９に排紙させる構成とすることもできる。
【０１３６】
さらに、インクジェット記録装置１やフィニッシャー２の排紙部１０９，２０９に全ての記録紙Ｐ及びダミー用紙Ｄ１，Ｄ２，Ｄ３を一括排紙するための構成は、省略してもよい。
【０１３７】
また、上述した各実施形態では、入力された印刷ジョブを必要に応じて加工し、加工後の印刷ジョブを実行することで、透過防止用画像Ｍ１，Ｍ２，Ｍ３をインクジェットヘッドユニット１０４において記録紙Ｐに印刷させ、これにより発生したダミー用紙Ｄ１，Ｄ２，Ｄ３を、フェイスダウン排紙されて積層された記録紙Ｐのうち一番下の記録紙Ｐの下に位置するように排紙させ、あるいは、フェイスアップ排紙されて積層された記録紙Ｐのうち一番上の記録紙Ｐの上に位置するように排紙させる構成について説明した。
【０１３８】
しかし、外部から入力される原稿画像Ｉを記録紙Ｐが印刷させるための印刷ジョブとは別に、必要に応じて新たな印刷ジョブを生成し、この新たな印刷ジョブの実行によって、透過防止用画像Ｍ１，Ｍ２，Ｍ３をインクジェットヘッドユニット１０４において記録紙Ｐに印刷させ、これにより発生したダミー用紙Ｄ１，Ｄ２，Ｄ３を、フェイスダウン排紙されて積層された記録紙Ｐのうち一番下の記録紙Ｐの下に位置するように排紙させ、あるいは、フェイスアップ排紙されて積層された記録紙Ｐのうち一番上の記録紙Ｐの上に位置するように排紙させるように構成してもよい。
【０１３９】
さらに、上述した第１及び第２実施形態では、インクジェットヘッドユニット１０４によるインクジェット方式で原稿画像Ｉや透過防止用画像Ｍ１，Ｍ２，Ｍ３の印刷を行う画像形成装置（インクジェット記録装置１）を例に取って説明した。しかし、本発明は、外部から入力された印刷ジョブの実行により画像が印刷されて排紙部に排紙された１又は複数枚の印刷済用紙と、印刷済用紙とは別に排紙部に排紙されたダミー用紙とを積層させて、１又は複数枚の印刷済用紙の表面に位置して外部に露出する画像を、ダミー用紙に印刷した透過防止用画像によって隠蔽することのできるものであれば、印刷済用紙の画像やダミー用紙の透過防止用画像の印刷を電子写真方式等、インクジェット方式以外の方式によって印刷する画像形成装置についても適用可能である。
【図面の簡単な説明】
【０１４０】
【図１】本発明による画像形成装置の第１実施形態に係るインクジェット記録装置の概略構成を示す説明図である。
【図２】（ａ）は図１のプリンター部において記録紙に印刷される原稿画像を示す説明図、（ｂ）は図１のプリンター部において原稿画像が印刷される記録紙を示す説明図である。
【図３】図１のインクジェット記録装置のうちプリンター部の概略構成を示す説明図である。
【図４】図１のインクジェット記録装置のインクジェットヘッドユニットのブロック図である。
【図５】図３のプリンター部の画像処理部のブロック図である。
【図６】図１のインクジェット記録装置のディスプレイに表示される操作画面を示す説明図である。
【図７】図１のインクジェット記録装置のディスプレイに表示される操作画面を示す説明図である。
【図８】図７の操作画面においていずれかのモードを選択することで設定可能な専用の排紙方法の説明図である。
【図９】図７の操作画面において設定可能なモードでそれぞれ排紙されるダミー用紙の説明図である。
【図１０】図１のインクジェット記録装置のディスプレイに表示される操作画面を示す説明図である。
【図１１】図１のインクジェット記録装置の制御系の構成を示すブロック図である。
【図１２】図１１のインクジェット記録装置の制御ユニットのＣＰＵがＲＯＭに格納されたプログラムにしたがって実行する処理の手順を示すフローチャートである。
【図１３】図１１のインクジェット記録装置の制御ユニットのＣＰＵがＲＯＭに格納されたプログラムにしたがって実行する処理の手順を示すフローチャートである。
【図１４】図１１のインクジェット記録装置の制御ユニットのＣＰＵがＲＯＭに格納されたプログラムにしたがって実行する処理の手順を示すフローチャートである。
【図１５】本発明による画像形成装置の第２実施形態に係るインクジェット記録装置の概略構成を示す正面図である。
【符号の説明】
【０１４１】
１  インクジェット記録装置（画像形成装置）
１０  制御ユニット
９０  ＣＰＵ（第１の設定手段、第２の設定手段、第３の設定手段、決定手段、ダミー用紙印刷実行手段、排紙手段）
１０２  プリンター部（画像印刷部）
１０９，２０９  排紙部
１０９ａ，２０９ａ  内部トレー（内部排紙部）
１１２  搬送路（搬送経路）
Ｉ  原稿画像（画像）
Ｄ１，Ｄ２，Ｄ３  ダミー用紙
Ｍ１，Ｍ２，Ｍ３  透過防止用画像
Ｐ  記録紙（用紙）
【図１】
2009269345.tif 000003
【図２】
2009269345.tif 000004
【図３】
2009269345.tif 000005
【図４】
2009269345.tif 000006
【図５】
2009269345.tif 000007
【図６】
2009269345.tif 000008
【図７】
2009269345.tif 000009
【図８】
2009269345.tif 000010
【図９】
2009269345.tif 000011
【図１０】
2009269345.tif 000012
【図１１】
2009269345.tif 000013
【図１２】
2009269345.tif 000014
【図１３】
2009269345.tif 000015
【図１４】
2009269345.tif 000016
【図１５】
2009269345.tif 000017